(57)【要約】【課題】シューズ内側前足部を乾きやすくすることができる靴用ハンガーを提供する。【解決手段】靴用ハンガー１のベロ下挿入部３’を靴１０の履き口１１からベロ１２の下方に挿入すると共に、ベロ上抑え部５で、上方から爪先側に折り返したベロ１２で抑えることにより、ベロ下挿入部３’とベロ上抑え部５とにより、折り返したベロ１２を挟み付けて、履き口前方を大きく開放させる。また、左右の履き口拡張部２’、２’を、履き口１１内に挿入して履き口１１を左右に拡張される。これにより、靴内側前足部に風があたりやすく、また空気が循環しやすくする。【選択図】図１
0003124700.tif 000002
【実用新案登録請求の範囲】
【請求項１】
履き口の前方にベロを有する靴を干す際に使用する、可倒性を有するハンガーであって、
基端部から前方へ伸長し、靴の履き口からベロの下方に挿入するベロ下挿入部と、
前記基端部から前方へ伸長し、ベロ下挿入部との間で、上方から爪先側に折り返したベロを挟むことができるベロ上抑え部とを備えたことを特徴とする靴用ハンガー。
【請求項２】
前記基端部から左右にそれぞれ伸長し、履き口内に挿入して履き口を左右に広げることができる左右の履き口拡張部を備えた請求項１に記載の靴用ハンガー。
【請求項３】
前記ベロ上抑え部は、洗濯ばさみ、フック等に吊すための部分を含む請求項１又は２に記載の靴用ハンガー。
【請求項４】
プラスチックからなる請求項１〜３のいずれか一に記載の靴用ハンガー。
【考案の詳細な説明】
【技術分野】
【０００１】
本考案は靴用ハンガー、特にスポーツシューズを干す際に使用するハンガーに関する。
【背景技術】
【０００２】
洗濯後の濡れたスポーツシューズを乾かす場合、一般に、シューズの踵部を下に爪先部を上にして壁等に斜めに立て掛けるようにしたり、あるいは、シューズの甲被等を洗濯ばさみで挟んで干すようにしている。しかし、これらの方法では、特にシューズ内側前足部に風があたりにくく、また空気が循環しにくいため、該前足部が乾きにくいという問題がある。
【考案の開示】
【考案が解決しようとする課題】
【０００３】
従って、本考案の目的は、シューズ内側前足部を乾きやすくすることができる靴用ハンガーを提供することにある。
【課題を解決するための手段】
【０００４】
上記課題を解決するため、本考案によれば、履き口の前方にベロを有する靴を干す際に使用する、可倒性を有するハンガーであって、基端部から前方へ伸長し、靴の履き口からベロの下方に挿入するベロ下挿入部と、前記基端部から前方へ伸長し、ベロ下挿入部との間で、上方から爪先側に折り返したベロを挟むことができるベロ上抑え部とを備えたことを特徴とする靴用ハンガーが提供される。
【０００５】
本考案に係る靴用ハンガーでは、靴のベロを上方から爪先側に折り返し、このベロを、履き口から挿入した下方のベロ下挿入部と、上方のベロ上抑え部とで挟むことにより固定して、履き口から前方に連続する中央ギャップ部を開放させる。これにより、靴を干す際に、靴内側前足部に対し、開放した中央ギャップ部から風があたりやすく、また空気が循環しやすくなる。
【０００６】
本考案に係る靴用ハンガーは、前記基端部から左右にそれぞれ伸長し、履き口内に挿入して履き口を左右に広げることができる左右の履き口拡張部を更に備えることができる。この履き口拡張部によって履き口を左右に広げることにより、靴内側前足部に対し、一層風があたりやすく、また空気が循環しやすくなる。
【０００７】
本考案では、前記ベロ上抑え部が、洗濯ばさみ、フック等に吊すための部分を含むことができる。また、本ハンガーの材質としては、可倒性のあるプラスチックが好ましいが、これに限らず、木製、金属製等であってもよい。
【考案を実施するための最良の形態】
【０００８】
以下、本考案の好ましい実施形態を説明する。図１は、本考案に係る靴用ハンガー１（以下単に「ハンガー」ともいう。）の平面図である。ハンガー１は、可倒性を有するプラスチック製の板状のものであり、左右方向に伸長する長円形状の横長円部分２と、横長円部分２よりも大きい上下方向に伸長する長円形状で、横長円部分２と十字をなすように直交する縦長円部分３とを有する。縦長円部分３において、横長円部分２との交差部（縦横長円交差部）（請求項１等における基端部をなす）４から上方への突出長さは、下方への突出長さに比べて長く、この下方への突出長さは、縦横長円交差部４からの左右それぞれへの横長円部分２の突出長さと同程度である。なお、縦横長円交差部４から上方に突出する縦長円部分３の部分が、ベロ下挿入部３’であり、縦横長円交差部４から左右にそれぞれ突出する横長円部分２の部分が、左右の履き口拡張部２’、２’である。また、縦横長円交差部４から下方に突出する縦長円部分３の下方突出部３”は、後述するシューズ１０へのハンガー１の適用時に使用者がハンガー１を把持する部分の一部として役立つ。更に、縦横長円部分２、３には、デザイン的な観点からスリットや穿孔が設けられている。
【０００９】
横長円部分２の上辺におけるベロ下挿入部３’の左右両側から上方に、ベロ下挿入部３’を囲むように半長円半環状のベロ上抑え部５が伸長する。ベロ上抑え部５の上端部は、ベロ下挿入部３’の上端を超えて上方に突出し、ベロ上抑え部５とベロ下挿入部３’との間の空隙ｇは、ベロ下挿入部３’の左右両側で比較的狭く、ベロ下挿入部３’の上方で比較的広くなる。
【００１０】
次に、ハンガー１の使用状態を説明する。図２及び３は、ハンガー１を使用して子供用の比較的小さいスポーツシューズ１０を洗濯ばさみ２０に干す際の手順を示し、ハンガー１は、この小型シューズ１０に対応して寸法が小さく作製されている。使用に際して、使用者は、まず、洗濯後のシューズ１０（靴紐がある場合は、事前にシューズ１０から取り外される）のベロ１２を上方から爪先側に折り返し、履き口１１から前方に連続する中央ギャップ部を大きく開放させる。次いで、ハンガー１を下方突出部３”から把持して、ベロ下挿入部３’を履き口開放部からベロ１２の下方基端側に挿入すると共に、ベロ下挿入部３’に対して上方に撓ませたベロ上抑え部５で上記折り返したベロ１２部分を上方から抑え付けるようにし、更に、ベロ下挿入部３’の基端がベロの下端折り返し部へと達するまでハンガー１を前進させて、ベロ下挿入部３’とベロ上抑え部５とでベロ１２を挟むようにする。これと同時並行的に、左右の履き口拡張部２’、２’を撓ませて履き口１１内に挿入し、この撓みの復元力により、履き口１１を左右方向に拡張させる。なお、シューズ１０には、履き口１１の左右側部に甲被の延長部分（クォーター部分）が存在するため、履き口拡張部２’、２’の先端をこのクォーター部分に突き合わせて、履き口１１を左右に拡張させるようにしている。この状態で、ハンガー１のベロ上抑え部５の上端を洗濯ばさみ２０で挟んで靴１０を吊り下げるようにする。
【００１１】
以上のようにハンガー１を使用することにより、シューズ１０の履き口１１が前方に大きく開放すると共に、履き口１１が左右に拡張して、従来特に乾きにくかったシューズ１０の内側前足部に対し風があたりやすく、また空気も循環しやすくなるため、シューズ１０が非常に乾きやすくなる。
【００１２】
以上の実施形態では、比較的小型の靴用ハンガーを説明したが、本ハンガーでは、適用対象のシューズの大きさに応じて、ベロ下挿入部、ベロ上抑え部、左右の履き口拡張部等の突出高等を適宜変更することができる。
【図面の簡単な説明】
【００１３】
【図１】本考案に係る靴用ハンガーの平面図である。
【図２】本考案に係る靴用ハンガーを靴に適用している状態を示す使用状態説明図である。
【図３】本考案に係る靴用ハンガーを適用した靴を洗濯ばさみで干す状態を示す使用状態説明図である。
【符号の説明】
【００１４】
１  靴用ハンガー
２  横長円部分
２’  履き口拡張部
３  縦長円部分
３’  ベロ下挿入部
３”  下方突出部
４  縦横長円交差部
５  ベロ上抑え部
ｇ  空隙
１０  シューズ
１１  履き口
１２  ベロ
２０  洗濯ばさみ
【図１】
0003124700.tif 000003
【図２】
0003124700.tif 000004
【図３】
0003124700.tif 000005